(57)【要約】【課題】  液晶パネルの電源投入時における画面のちらつきや異常表示を抑えることができるパワーオンリセット回路を提供する。【解決手段】  ゲートドライバに投入される電源ＶＤＤの立ち上がりに同期してリセット信号をゲートドライバの内部回路に入力することによってゲートドライバの全出力端子をオフ状態にし、操作開始信号の入力に同期してこのリセット信号を解除する。【選択図】    図３
2005084559.tif 000002
【特許請求の範囲】
【請求項１】
液晶パネルの表示データ線にソースドライバを介して表示データを供給し、液晶パネルの走査線にゲートドライバを介して操作信号を供給する液晶駆動コントローラを有する液晶パネルの駆動回路において、
前記液晶パネルの電源投入時に、電源の立ち上がりに同期して前記ゲートドライバにリセット信号を供給し前記ゲートドライバの全出力端子をオフ状態にし、前記ゲートドライバに入力される操作開始信号の立ち上がりに同期して前記リセット信号を解除し前記ゲートドライバの全出力端子を通常動作状態に戻すパワーオンリセット回路。
【発明の詳細な説明】
【技術分野】
【０００１】
本発明は、液晶パネルを駆動する駆動回路に使用されるゲートドライバの全出力端子を、電源が投入されてから操作が開始されるまでの間オフ状態にするパワーオンリセット回路に関する。
【背景技術】
【０００２】
図３に一般的な液晶パネルの駆動回路の構成図を示す。図３に示すように、液晶パネル３１の表示データ線３２はソースドライバ３３を介して液晶駆動コントローラ３４に接続されており、液晶パネル３１の走査線３５はゲートドライバ３６を介して液晶駆動コントローラ３４に接続されている。
【０００３】
液晶駆動コントローラ３４は、液晶パネル３１の表示データ線３２にソースドライバ３３を介して表示データを供給し、液晶パネル３１の走査線３５にゲートドライバ３６を介して操作信号を供給する（例えば、特許文献１参照。）。
【０００４】
図４にゲートドライバ３６の内部回路の概略図を示す。図４に示すように、液晶パネルの駆動回路に使用されるゲートドライバは、クロック信号、操作開始信号、電源ＶＤＤなどが入力されるシフトレジスタ４１と、シフトレジスタ４１の出力を受けて走査線に操作信号を出力するレベルシフタ４２とからなる。
【０００５】
以上のように構成された一般的な液晶パネルの駆動回路には以下の問題が存在する。すなわち、電源投入時にはクロック信号などの電圧レベルが不定であるため、ゲートドライバ内部のシフトレジスタの内部信号が不定な電圧レベルとなり、シフトレジスタから不定な電圧レベルの信号が出力され、レベルシフタの出力信号の電圧レベルを決定する電圧レベルが不定な電圧レベルとなり、その結果、電源投入時におけるゲートドライバの出力端子が“オフ状態”とならず、ゲートドライバから不定な電圧レベルの信号が出力され、液晶パネルに画面のちらつきや異常表示が発生するという問題があった。
【０００６】
なお、“オフ状態”は、ゲートドライバの全出力端子の電圧が液晶パネルの表示をＯＦＦする電圧レベルにあることを意味する。
【特許文献１】特開昭６３−３０４２２８号公報（第一図）
【発明の開示】
【発明が解決しようとする課題】
【０００７】
本発明は、上記問題点に鑑み、電源投入時にリセット信号を供給してゲートドライバの全出力端子をオフ状態にし、操作開始信号の入力時に上記リセット信号を解除してゲートドライバの全出力端子を通常動作状態に戻すことにより、電源投入時における液晶パネルの画面のちらつきや異常表示を回避することができるパワーオンリセット回路を提供することを目的とする。
【課題を解決するための手段】
【０００８】
本発明の請求項１記載のパワーオンリセット回路は、液晶パネルの表示データ線にソースドライバを介して表示データを供給し、液晶パネルの走査線にゲートドライバを介して操作信号を供給する液晶駆動コントローラを有する液晶パネルの駆動回路において、前記液晶パネルの電源投入時に、電源の立ち上がりに同期して前記ゲートドライバにリセット信号を供給し前記ゲートドライバの全出力端子をオフ状態にし、前記ゲートドライバに入力される操作開始信号の立ち上がりに同期して前記リセット信号を解除し前記ゲートドライバの全出力端子を通常動作状態に戻すものである。
【発明の効果】
【０００９】
本発明によれば、電源投入時における液晶パネルの画面のちらつきや異常表示を防ぐことができる。
【発明を実施するための最良の形態】
【００１０】
以下、本発明の実施の形態について、図面を参照しながら具体的に説明する。
図１に本実施の形態におけるパワーオンリセット回路の構成図を示す。図１において、１〜４は電圧レベル設定回路であり、５、６はＮＡＮＤ回路である。また、７は抵抗、８〜１１はコンデンサ、１２はインバータである。
【００１１】
なお、ＮＡＮＤ回路５、６およびインバータ１２には電源ＶＤＤと基準電位ＶＳＳが接続されており、ハイレベルの信号として電位がＶＤＤレベルの信号を出力し、ローレベルの信号として電位がＶＳＳレベルの信号を出力する。
【００１２】
また、該パワーオンリセット回路において使用する電源ＶＤＤと操作開始信号は、図４に示す電源ＶＤＤと操作開始信号である。
図１に示すように、第１の電圧レベル設定回路１は電源ＶＤＤに接続される抵抗７と基準電位ＶＳＳに接続されるコンデンサ８からなり、抵抗７とコンデンサ８との間から取り出した信号をＮＡＮＤ回路５の一方の入力へ出力する。
【００１３】
また、第２の電圧レベル設定回路２は電源ＶＤＤに接続されるコンデンサ９と操作開始信号を入力とするインバータ１２からなり、コンデンサ９とインバータ１２の出力との間から取り出した信号をＮＡＮＤ回路６の一方の入力へ出力する。
【００１４】
また、ＮＡＮＤ回路５の出力信号は、電源ＶＤＤに接続されるコンデンサ１０からなる第３の電圧レベル設定回路３に接続され、ＮＡＮＤ回路６の他方の入力となる。
また、ＮＡＮＤ回路６の出力信号は、基準電位ＶＳＳに接続されるコンデンサ１１からなる第４の電圧レベル設定回路４に接続され、ＮＡＮＤ回路５の他方の入力となる。
【００１５】
次に、該パワーオンリセット回路の動作について説明する。
電源投入前、電源ＶＤＤは基準電位ＶＳＳレベルと同電位であり、また操作開始信号は基準電位ＶＳＳレベルに固定された状態にある。
【００１６】
電源ＶＤＤの電位がＶＳＳレベルから徐々に立ち上がっていくと、第１の電圧レベル設定回路１からＮＡＮＤ回路５へ出力される信号の電位もこの立ち上がりに同期してＶＳＳレベルから立ち上がっていく。
【００１７】
また、インバータ１２へは電位がＶＳＳレベルの信号が入力されるので、第２の電圧レベル設定回路２からＮＡＮＤ回路６へ出力される信号の電位も電源ＶＤＤの立ち上がりに同期してＶＳＳレベルから立ち上がっていく。
【００１８】
また、第４の電圧レベル設定回路４からはコンデンサ１１より電位がＶＳＳレベルの信号が出力されるので、ＮＡＮＤ回路５の出力信号の電位も電源ＶＤＤの立ち上がりに同期してＶＳＳレベルから立ち上がっていく。
【００１９】
従って、第３の電圧レベル設定回路３の出力信号は、電源ＶＤＤの立ち上がりに同期して電位がＶＳＳレベルから立ち上がっていく信号となり、ＮＡＮＤ回路６の出力信号は電位が概ねＶＳＳレベルに固定された信号となる。
【００２０】
この結果、ＮＡＮＤ回路５の出力とコンデンサ１０との間から取り出されるリセット信号の電位は、電源投入時に電源ＶＤＤの立ち上がりに同期してＶＳＳレベルから立ち上がっていき、電源ＶＤＤが完全に立ち上がったときＶＤＤレベルとなる（図２のリセット信号アクティブ状態２１を参照。）。
【００２１】
次に、リセット解除時の動作について説明する。
電位が基準電位ＶＳＳレベルに固定されていた操作開始信号が徐々に立ち上がっていくと、インバータ１２の出力信号の電位はそれに同期して徐々に立ち下がっていく。そのため、ＮＡＮＤ回路６の出力信号の電位は、操作開始信号に同期して電位ＶＤＤレベルまで立ち上がっていき、ＮＡＮＤ回路５の出力信号の電位は、電位ＶＳＳレベルまで立ち下がっていく。
【００２２】
その結果、リセット信号の電位は、操作開始信号の入力時に操作開始信号の立ち上がりに同期してＶＤＤレベルからＶＳＳレベルまで立ち下がる（図２のリセット信号解除状態２２を参照。）。
【００２３】
以上のように構成されたパワーオンリセット回路が発生するリセット信号を図４に示すゲートドライバ内部のシフトレジスタへ入力することにより、液晶パネルの電源投入時にゲートドライバの全出力端子をオフ状態にすることができ、操作開始信号の入力時にリセット信号を解除しゲートドライバの全出力端子を通常動作状態に戻すことができる。
【産業上の利用可能性】
【００２４】
本発明にかかるパワーオンリセット回路は、電源の投入をトリガとしてリセット信号を出力するので、電源投入時の内部信号の状態が不定であったり、電源投入時に不定な信号を出力したりする回路において有用である。
【図面の簡単な説明】
【００２５】
【図１】本発明の実施の形態におけるパワーオンリセット回路の構成図
【図２】本発明の実施の形態における波形図
【図３】一般的な液晶パネルの駆動回路の構成図
【図４】同液晶パネルの駆動回路におけるゲートドライバの内部回路の概略図
【符号の説明】
【００２６】
１      第１の電圧レベル設定回路
２      第２の電圧レベル設定回路
３      第３の電圧レベル設定回路
４      第４の電圧レベル設定回路
５、６      ＮＡＮＤ回路
７      抵抗
８、９、１０、１１      コンデンサ
１２      インバータ
２１      リセット信号アクティブ状態
２２      リセット信号解除状態
３１      液晶パネル
３２      表示データ線
３３      ソースドライバ
３４      液晶駆動コントローラ
３５      走査線
３６      ゲートドライバ
４１      シフトレジスタ
４２      レベルシフタ
【図１】
2005084559.tif 000003
【図２】
2005084559.tif 000004
【図３】
2005084559.tif 000005
【図４】
2005084559.tif 000006